(57)【要約】【課題】簡易な防水構造で充電モニタによりバッテリの交換時期を通知することができる照明器具を提供すること。【解決手段】照明器具は、光を発する光源モジュールと、光源モジュールに電力を供給するバッテリと、縁部を有し、光源モジュールおよびバッテリを保持するケースと、ケースに取り付けられ、光源モジュールを覆う透光性のカバーと、ケースの縁部に形成された貫通孔に防水構造で配置され、バッテリの充電状態を表示する充電モニタと、を備えたものである。【選択図】図１
2019129081.tif 000002
【特許請求の範囲】
【請求項１】
光を発する光源モジュールと、
前記光源モジュールに電力を供給するバッテリと、
縁部を有し、前記光源モジュールおよび前記バッテリを保持するケースと、
前記ケースに取り付けられ、前記光源モジュールを覆う透光性のカバーと、
前記ケースの縁部に形成された貫通孔に防水構造で配置され、前記バッテリの充電状態を表示する充電モニタと、を備えた
照明器具。
【請求項２】
前記ケースは、互いに異なる径の円筒部を２段重ねた形状を有し、
前記縁部は、２つの前記円筒部の間に設けられており、前記ケースの被取付面と平行である
請求項１に記載の照明器具。
【請求項３】
前記ケースは、円錐台形状を有し、
前記縁部は、前記ケースの被取付面に対して傾斜している
請求項１に記載の照明器具。
【請求項４】
前記ケースは、円筒形状を有し、
前記縁部は、前記ケースの下面に設けられており、前記ケースの被取付面と平行である
請求項１に記載の照明器具。
【請求項５】
前記貫通孔に取り付けられた透光性ブッシュを備え、
前記充電モニタは、前記透光性ブッシュを介して保持される
請求項１〜４のいずれか一項に記載の照明器具。
【発明の詳細な説明】
【技術分野】
【０００１】
本発明は、充電機能を備えた照明器具に関するものである。
【背景技術】
【０００２】
従来、ＬＥＤを光源として、玄関、浴室などの天井または壁に取り付けられる防水型の照明器具が提案されている（例えば、特許文献１参照）。
【０００３】
特許文献１の照明装置は、防水性を向上させるため、器具本体の開口に防水部材を介してカバーが取り付けられている。また、センサおよびセンサカバーに器具本体から延設された防水カバーが設けられている。
【０００４】
このような照明装置を、防水型の非常用の照明装置に仕様変更する場合、バッテリの充電状態を表示する充電インジケータ（以下、充電モニタと称する）により、バッテリの交換時期を通知する機能が必要となる。そして、充電モニタの表示は、器具本体のカバーおよびふたなどを開けることなく確認できることが望ましい。
【先行技術文献】
【特許文献】
【０００５】
【特許文献１】特開２０１７−２１９１７号公報
【発明の概要】
【発明が解決しようとする課題】
【０００６】
しかしながら、特許文献１の照明装置は、器具本体およびカバーの複雑な防水構造だけでなく、センサも別途防水された構造を有している。そのため、特許文献１の照明装置を防水型の非常用の照明装置に仕様変更する場合、充電モニタを防水するために複雑な構造が必要となるという課題があった。
【０００７】
本発明は、以上のような課題を解決するためになされたもので、簡易な防水構造で構成された充電モニタによりバッテリの交換時期を通知することができる照明器具を提供することを目的としている。
【課題を解決するための手段】
【０００８】
本発明に係る照明器具は、光を発する光源モジュールと、前記光源モジュールに電力を供給するバッテリと、縁部を有し、前記光源モジュールおよび前記バッテリを保持するケースと、前記ケースに取り付けられ、前記光源モジュールを覆う透光性のカバーと、前記ケースの縁部に形成された貫通孔に防水構造で配置され、前記バッテリの充電状態を表示する充電モニタと、を備えたものである。
【発明の効果】
【０００９】
本発明に係る照明器具によれば、簡易な防水構造で構成された充電モニタによりバッテリの交換時期を通知することができる。
【図面の簡単な説明】
【００１０】
【図１】本発明の実施の形態１に係る照明器具を示す照射側である下方からの斜視図である。
【図２】本発明の実施の形態１に係る照明器具を示す被取付面側である上方からの斜視図である。
【図３】本発明の実施の形態１に係る照明器具を示す平面図である。
【図４】本発明の実施の形態１に係る照明器具を示す正面図である。
【図５】図３に示す照明器具のＡ−Ａ断面を矢印方向から見た断面図である。
【図６】本発明の実施の形態１に係る照明器具のカバーが取り外された状態の底面図である。
【図７】本発明の実施の形態１に係る照明器具を示す分解斜視図である。
【図８】本発明の実施の形態１に係る照明器具の充電モニタを示す平面図である。
【図９】本発明の実施の形態１に係る照明器具の充電モニタを示す斜視図である。
【図１０】本発明の実施の形態２に係る照明器具を示す下方斜視図である。
【図１１】本発明の実施の形態２に係る照明器具を示す正面図である。
【図１２】本発明の実施の形態２に係る照明器具の縦断面図である。
【図１３】本発明の実施の形態３に係る照明器具を示す下方斜視図である。
【図１４】本発明の実施の形態３に係る照明器具を示す正面図である。
【図１５】本発明の実施の形態３に係る照明器具の縦断面図である。
【発明を実施するための形態】
【００１１】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
【００１２】
実施の形態１．
図１は、本発明の実施の形態１に係る照明器具１００ａを示す照射側である下方からの斜視図である。図２は、本発明の実施の形態１に係る照明器具１００ａを示す被取付面側である上方からの斜視図である。図３は、本発明の実施の形態１に係る照明器具１００ａを示す平面図である。図４は、本発明の実施の形態１に係る照明器具１００ａを示す正面図である。図５は、図３に示す照明器具１００ａのＡ−Ａ断面を矢印方向から見た断面図である。図６は、本発明の実施の形態１に係る照明器具１００ａのカバー２０が取り外された状態の底面図である。図７は、本発明の実施の形態１に係る照明器具１００ａを示す分解斜視図である。
【００１３】
なお、図５において、常用点灯装置５０および非常用点灯装置５２は、断面ではなく図３の矢印方向から見た外観を示している。また、図５において、常用点灯装置５０および非常用点灯装置５２を覆うケース１０およびカバー２０を非表示としている。また、図６は、カバー２０を非表示としている。
【００１４】
以下、本実施の形態１に係る照明器具１００ａの構成を、図１〜図７を参照して説明する。
図１〜図４に示すように、本実施の形態１に係る照明器具１００ａの外部は、一端が開口した円筒形状であるケース１０と、ケース１０の取付面に設けられたケースパッキン１１と、ケース１０の下面を覆うように取り付けられたカバー２０と、で構成されている。後で詳細を説明するが、ケース１０の縁部１０−３には、充電モニタ３０が配置されている。
【００１５】
また、図５〜図７に示すように、本実施の形態１に係る照明器具１００ａの内部には、光源モジュールユニットと、バッテリ５１と、非常用点灯装置５２と、電源端子台５３と、点検スイッチ５４と、が設けられている。
【００１６】
光源モジュールユニットは、図６および図７に示すように、発光素子であるＬＥＤ４１が複数配置された光源モジュール４０と、光源モジュール４０を保持するホルダ４２と、ホルダ４２の枠を構成するホルダ枠４４と、ホルダ４２とホルダ枠４４との間に光源モジュール４０の照射側を覆うように配置されたガラス板４３と、で構成されている。なお、光源モジュール４０は、１つまたは複数のＣＯＢ（Ｃｈｉｐ  Ｏｎ  Ｂｏａｒｄ）―ＬＥＤで構成されていてもよい。
【００１７】
ケース１０は、一端が開口した円筒形状を有し、光源モジュールユニットなどを収納するものである。ケース１０の被取付面である上面には、ケースパッキン１１が貼り付けられている。ケースパッキン１１は、例えばＥＰＴゴムで円板状に形成され、壁などの取付対象に密着することで、照明器具１００ａを取付対象に取り付けるものである。また、図２および図３に示すように、ケース１０の取付面とケースパッキン１１とには、外部から商用電源を引き込むための電源孔１２が形成されている。また、ケース１０の取付面とケースパッキン１１の電源孔１２の周囲には、固定孔１３が複数形成されている。また、図５に示すように、ケース１０の開口部の内周面には、めねじ１０ａが形成されている。
【００１８】
本実施の形態１に係るケース１０は、図４に示すように、互いに異なる径の円筒部を２段重ねた形状である。被取付面側が半径大の第一円筒部１０−１であり、開口側が半径小の第二円筒部１０−２である。ケース１０は、第一円筒部１０−１と第二円筒部１０−２との間に、被取付面と平行かつ照明器具１００ａの照射側に面する縁部１０−３を有している。
【００１９】
図５に示すように、本実施の形態１に係る充電モニタ３０は、ケース１０の縁部１０−３に配置される。また、ケース１０の縁部１０−３には貫通孔１０−４が形成されている。そしてその貫通孔１０−４には、縁部１０−３の照射面（表面）側から透光性ブッシュ２２が取り付けられる。透光性ブッシュ２２は、例えば透光性を有するシリコーンゴムで円筒形状に形成されている。なお、後で説明するように、透光性ブッシュ２２の中央に形成された開口は、充電モニタ３０で閉塞される。
【００２０】
カバー２０は、乳白色のガラスで形成されたガラスグローブであり、光源モジュールユニットを覆い、光源モジュール４０が発する光を透過および拡散させる透光性を有している。このカバー２０は、図５に示すように、一端が開口した略ドーム形状のドーム部２０ｄを有しており、開口側の外周面には、おねじ２０ａが形成されている。そして、カバー２０のおねじ２０ａが、ケース１０のめねじ１０ａにねじ止めされることにより、カバー２０がケース１０に固定される。
【００２１】
図７に示すように、カバー２０のおねじ形成部２０ｂには、リング状のカバーパッキン２１が取り付けられている。このカバーパッキン２１はＯリングであり、ケース１０およびカバー２０内への水や埃の浸入を抑制する。
【００２２】
常用点灯装置５０は、通常時に外部から商用電源が電源端子台５３を介して供給され、光源モジュール４０に直流電力を供給するものである。非常用点灯装置５２は、通常時に外部から商用電源が電源端子台５３を介して供給され、バッテリ５１をトリクル充電するものである。つまり、通常時は外部から商用電源が、電源端子台５３を介して常用点灯装置５０および非常用点灯装置５２に供給され、常用点灯装置５０が光源モジュール４０に直流電力を供給するとともに、非常用点灯装置５２がバッテリ５１をトリクル充電する。
【００２３】
そして、商用電源を直接供給する配線の外部スイッチの有無により、通常時に光源モジュール４０を常時点灯する照明として照明器具１００ａを使用することも、外部のスイッチを介して商用電源を供給する配線により、常時点灯とせず必要な時に点灯させる照明として照明器具１００ａを使用することもできる。
【００２４】
バッテリ５１は、外部からの商用電源の供給が停止する非常時に、非常用点灯装置５２を介して光源モジュール４０に直流電力を供給するものである。つまり、非常時は、バッテリ５１から非常用点灯装置５２を介して光源モジュール４０に直流電力が供給される。
【００２５】
図５に示すように、点検スイッチ５４にはひも５４−１が接続されており、そのひも５４−１が点検者により引っ張られると、バッテリ５１から非常用点灯装置５２を介して光源モジュール４０に直流電力が供給される。つまり、点検時に点検者が点検スイッチ５４に接続されたひも５４−１を引っ張ることにより、バッテリ５１から非常用点灯装置５２を介して光源モジュール４０に直流電力が供給される。
【００２６】
図８は、本発明の実施の形態１に係る照明器具１００ａの充電モニタ３０を示す平面図である。図９は、本発明の実施の形態１に係る照明器具１００ａの充電モニタ３０を示す斜視図である。
次に、本実施の形態１に係る照明器具１００ａの充電モニタ３０の構成を、図８および図９を参照して説明する。
充電モニタ３０は、モニタ用ＬＥＤ３２と、２本の電線３４と、モニタ用ＬＥＤ３２および電線３４の２本それぞれの一端を電気的に接続するモニタ基板３３と、モニタ用ＬＥＤ３２およびモニタ基板３３を保持するモニタ用ブッシュ３５と、電線３４の他端に接続されたコネクタ３６と、を備えている。
【００２７】
充電モニタ３０のモニタ用ＬＥＤ３２は、バッテリ５１の充電状態を表示するものである。バッテリ５１が十分に充電されている場合、充電モニタ３０のモニタ用ＬＥＤ３２が緑色に点灯する。本実施の形態１に係る照明器具１００ａは、照明器具１００ａに外部から商用電源が４８時間以上供給されることにより、バッテリ５１は十分に充電され、モニタ用ＬＥＤ３２が点灯する。
【００２８】
一方、バッテリ５１が十分に充電されていない場合、充電モニタ３０のモニタ用ＬＥＤ３２は非点灯となる。また、バッテリ５１が非常用点灯装置５２に電気的に接続されていない場合も、バッテリ５１への充電およびバッテリ５１から光源モジュール４０への電力供給ができないことを表示するために、モニタ用ＬＥＤ３２は非点灯となる。
【００２９】
モニタ用ブッシュ３５は、両端が開口し、半径が異なる２つの円筒を同軸上で接合した形状を有している。半径が小さい方の円筒の部分は、モニタ用ＬＥＤ３２を保持し、外側面に複数の爪部３５−１が４つ形成されている。なお、爪部３５−１の数は４つに限定されるものではなく、３つ以上形成されていればよい。一方、半径が大きい方の円筒の部分は、モニタ基板３３を保持する。また、半径が大きい方の円筒部の側面には、電線３４をモニタ用ブッシュ３５の内部に通す切欠き３５−２が２箇所形成されている。なお、本実施の形態１では、モニタ用ブッシュ３５は黒色のゴムで形成されているが、それに限定されない。
【００３０】
次に、本実施の形態１に係る照明器具１００ａの組み立ての順序の一例について説明する。
まず、図８に示す充電モニタ３０を、透光性ブッシュ２２に取り付ける。
【００３１】
次に、充電モニタ３０が取り付けられた透光性ブッシュ２２をケース１０の縁部１０−３の貫通孔１０−４に取り付ける。このとき、透光性ブッシュ２２の中央に形成された開口は、図５に示すように充電モニタ３０で閉塞される。さらに、照射面側に引き出された充電モニタ３０の電線３４は、図５に示すように貫通孔１０−４からケース１０内に収納される。また、充電モニタ３０の電線３４は、ケース１０の第一円筒部１０−１を通り、非常用点灯装置５２まで延伸される。また、電線３４の他端に接続されたコネクタ３６は、非常用点灯装置５２のレセプタクル（図示せず）に差し込まれることにより電気的に接続される。
【００３２】
充電モニタ３０は、図９に示す爪部３５−１が図５に示す透光性ブッシュ２２の穴に引っ掛かることにより、透光性ブッシュ２２に保持される。本実施の形態１では、充電モニタ３０は、ケース１０の縁部１０−３より突出しないよう、透光性ブッシュ２２に保持される。
【００３３】
このように充電モニタ３０をケース１０の縁部１０−３に配置する構成とすることにより、以下の利点が得られる。
充電モニタ３０がケース１０の外周から径方向に飛び出ることがなく、照明器具１００ａの外観形状が変化しない。また、充電モニタ３０の表示は光源モジュール４０が発する光と干渉しない。このため、点検者が充電モニタ３０の表示を容易に確認することができる。
【００３４】
また、充電モニタ３０を人が集まる場所から見えにくくなるように照明器具１００ａを設置することにより、照明器具１００ａの美観を損なうことなく、点検者のみ充電モニタ３０の表示を確認することができる。
【００３５】
さらに、充電モニタ３０がケース１０に取り付けられた透光性ブッシュ２２に保持されるという簡単な構成により、ケース１０内に水や埃が浸入することを抑制することができる。つまり、簡単な構成により防水構造を得ることができる。
【００３６】
以上、本実施の形態１に係る照明器具１００ａは、光を発する光源モジュール４０と、光源モジュール４０に電力を供給するバッテリ５１と、縁部１０−３を有し、光源モジュール４０およびバッテリ５１を保持するケース１０と、回転させてケース１０に取り付けられ、光源モジュール４０を覆う透光性のカバー２０と、ケース１０の縁部１０−３に形成された貫通孔１０−４に配置され、バッテリ５１の充電状態を表示する充電モニタ３０と、を備えたものである。
【００３７】
また、本実施の形態１に係る照明器具１００ａのケース１０は、互いに異なる径の円筒部を２段重ねた形状を有し、縁部１０−３は、２つの円筒部の間に設けられており、ケース１０の被取付面と平行である。
【００３８】
また、本実施の形態１に係る照明器具１００ａは、貫通孔１０−４に取り付けられた透光性ブッシュ２２を備え、充電モニタ３０は、透光性ブッシュ２２を介して保持されるものである。
【００３９】
本実施の形態１に係る照明器具１００ａによれば、簡易な防水構造で充電モニタ３０によりバッテリ５１の交換時期を通知することができる。
【００４０】
実施の形態２．
以下、本発明の実施の形態２について説明するが、実施の形態１と重複するものについては説明を省略し、実施の形態１と同じ部分または相当する部分には同じ符号を付す。
【００４１】
図１０は、本発明の実施の形態２に係る照明器具１００ｂを示す下方斜視図である。図１１は、本発明の実施の形態２に係る照明器具１００ｂを示す正面図である。図１２は、本発明の実施の形態２に係る照明器具１００ｂの縦断面図である。なお、図１２の断面図は、実施の形態１の図５と同じ位置の断面図である。
【００４２】
本実施の形態２に係るケース１０は図１０〜図１２に示すように略円錐台形状であり、カバー２０に当接するとともに、被取付面と平行な面である当接部１０−５、および、被取付面に対して傾斜している略円錐台形状の斜面である縁部１０−３を有する。
【００４３】
充電モニタ３０は、図１２に示すように縁部１０−３に形成された貫通孔１０−４に、透光性ブッシュ２２を介して取り付けられる。本実施の形態２では、透光性ブッシュ２２は、透光性を有していても有していなくてもよい。なお、透光性ブッシュ２２が透光性を有していない場合、透光性ブッシュ２２はケース１０と同系統の色であることが望ましい。
【００４４】
充電モニタ３０の電線３４は、図１２に示すようにケース１０の被取付面に対して斜めに配置されるため、実施の形態１に比べて電線３４の曲がりが小さくなり、組み立てが容易となる。
【００４５】
また、充電モニタ３０は照明器具１００ｂの最大径となる被取付面の外周を飛び出ることがなく、照明器具１００ｂの外観形状が変化しない。また、縁部１０−３が被取付面に対して平行ではなく傾斜しているため、被取付面が天井のような水平な面であっても壁のような鉛直な面であっても、点検者は充電モニタ３０の表示を容易に視認することができる。
【００４６】
以上、本実施の形態２に係る照明器具１００ｂのケース１０は、略円錐台形状を有し、縁部１０−３は、ケース１０の被取付面に対して傾斜している。
【００４７】
本実施の形態２に係る照明器具１００ｂによれば、ケース１０の被取付面に対して傾斜している縁部１０−３に充電モニタ３０が配置されるため、実施の形態１に比べて電線３４の曲がりが小さくなり、組み立てが容易となる。
【００４８】
実施の形態３．
以下、本発明の実施の形態３について説明するが、実施の形態１および２と重複するものについては説明を省略し、実施の形態１および２と同じ部分または相当する部分には同じ符号を付す。
【００４９】
図１３は、本発明の実施の形態３に係る照明器具１００ｃを示す下方斜視図である。図１４は、本発明の実施の形態３に係る照明器具１００ｃを示す正面図である。図１５は、本発明の実施の形態３に係る照明器具１００ｃの縦断面図である。
【００５０】
本実施の形態３に係るケース１０は、図１３〜図１５に示すように略円筒形状であり、縁部１０−３は、ケース１０の下面に設けられており、ケース１０の被取付面と平行である。
【００５１】
充電モニタ３０は、縁部１０−３に透光性ブッシュ２２を介して取り付けられる。本実施の形態３では、透光性ブッシュ２２は、透光性を有していても有していなくてもよい。なお、透光性ブッシュ２２が透光性を有していない場合、透光性ブッシュ２２はケース１０と同系統の色であることが望ましい。
【００５２】
充電モニタ３０は照明器具１００ｃの最大径となる被取付面の外周を飛び出ることがなく、照明器具１００ｃの外観形状が変化しない。また、本実施の形態３では、縁部１０−３が略円筒形状のケース１０の下面に設けられており、実施の形態１のものよりも第一円筒部１０−１の高さが高い構成となっている。そのため、照明器具１００ｃが凹部（図示せず）に取り付けられている場合、または、照明器具１００ｃの周りに物が配置されている場合でも、点検者が充電モニタ３０を容易に視認することができる。
【００５３】
以上、本実施の形態３に係る照明器具１００ｃのケース１０は、略円筒形状を有し、縁部１０−３は、ケース１０の下面に設けられており、ケース１０の被取付面と平行である。
【００５４】
本実施の形態３に係る照明器具１００ｃによれば、縁部１０−３が略円筒形状のケース１０の下面に設けられており、実施の形態１のものよりも第一円筒部１０−１の高さが高い構成となっている。そのため、照明器具１００ｃが凹部（図示せず）に取り付けられている場合、または、照明器具１００ｃの周りに物が配置されている場合でも、点検者が充電モニタ３０を容易に視認することができる。
【符号の説明】
【００５５】
１０  ケース、１０−１  第一円筒部、１０−２  第二円筒部、１０−３  縁部、１０−４  貫通孔、１０−５  当接部、１０ａ  めねじ、１１  ケースパッキン、１２  電源孔、１３  固定孔、２０  カバー、２０ａ  おねじ、２０ｂ  おねじ形成部、２０ｄ  ドーム部、２１  カバーパッキン、２２  透光性ブッシュ、３０  充電モニタ、３２  モニタ用ＬＥＤ、３３  モニタ基板、３４  電線、３５  モニタ用ブッシュ、３５−１  爪部、３５−２  切欠き、３６  コネクタ、４０  光源モジュール、４１  ＬＥＤ、４２  ホルダ、４３  ガラス板、４４  ホルダ枠、５０  常用点灯装置、５１  バッテリ、５２  非常用点灯装置、５３  電源端子台、５４  点検スイッチ、５４−１  ひも、１００ａ  照明器具、１００ｂ  照明器具、１００ｃ  照明器具。
【図１】
2019129081.tif 000003
【図２】
2019129081.tif 000004
【図３】
2019129081.tif 000005
【図４】
2019129081.tif 000006
【図５】
2019129081.tif 000007
【図６】
2019129081.tif 000008
【図７】
2019129081.tif 000009
【図８】
2019129081.tif 000010
【図９】
2019129081.tif 000011
【図１０】
2019129081.tif 000012
【図１１】
2019129081.tif 000013
【図１２】
2019129081.tif 000014
【図１３】
2019129081.tif 000015
【図１４】
2019129081.tif 000016
【図１５】
2019129081.tif 000017